(57)【特許請求の範囲】
【請求項１】
進退自在なロッドを有するソレノイドと、このソレノイドのロッドの進退に連動して進退するストッパピンとを備えたストッパ装置において、
前記ロッドと前記ストッパピンとの間に、
前記ロッドに一端部が枢着された連結レバーと、
この連結レバーの他端部に中央部が枢着され一端部に前記ストッパピンが枢着された第１の回動規制レバーと、
この第１の回動規制レバーの一端部が枢着されこの一端部を揺動自在に支持する第２の回動規制レバーとを介在させ、
前記ロッドが前進することにより前記第１の回動規制レバーの他端部に係合し前記第２の回動規制レバーとともに前記第１の回動規制レバーの回動を規制する規制部材と、
前記規制部材に前記第１の回動規制レバーの他端部を係合させる方向へ付勢する付勢手段とを備えたことを特徴とするストッパ装置。
【発明の詳細な説明】
【技術分野】
【０００１】
本発明は、電磁ソレノイドを駆動源として進退するストッパピンを備えたストッパ装置に関するものである。
【背景技術】
【０００２】
例えば、収納装置に収納され水平方向に移動させることにより収納装置から取り出し可能な収納箱において、この収納箱を収納装置に収納した状態で、収納箱に移動自在に設けられている蓋を水平方向に引き出すことにより、収納箱の上部に設けられた開口を開放し、この開口から収納物を収納するようにしたものがある。この収納装置では、引き出された蓋が収納箱から引き抜かれないようにするために、蓋に設けた係合片に係合し蓋を所定の位置で停止させるストッパ装置が備えられている。
【０００３】
図５は従来のストッパ装置をこの種の収納箱に実施した状態を示す側面図である。同図に全体を符号１で示すものは収納箱であって、上部に形成された開口２は矢印Ａ−Ｂ方向に移動自在に支持された蓋３によって覆われている。この蓋３は略中央部に蝶番４が設けられており、この蓋３は矢印Ａ方向へ引き出した状態で、蝶番４によって左半分３ａが直角に折り曲げ可能になっている。また、この蓋３の右端部には、後述するストッパピン３４に係合する逆Ｌ字状に形成された係合片５が固定されている。したがって、この収納箱１は収納装置（図示せず）に設置されると、蓋３を矢印Ａ方向に移動させることにより、開放された開口２から収納物を収納箱１内に投入可能になる。
【０００４】
３０は収納装置内に固定されたベース板であって、このベース板３０には、ブラケット３１を介してストッパ装置として機能する電磁ソレノイド３２が固定されている。この電磁ソレノイド３２のロッド３２ａには連結レバー３３を介してストッパピン３４が枢着されており、このストッパピン３４は圧縮コイルスプリング３５の弾発力によってベース板３０の孔（図示せず）から進出する方向に付勢されている。このような構成において、収納装置内に収納された収納箱１の開口２を開放する場合は、電磁ソレノイド３２を非励磁状態にすることにより、ストッパピン３４を図に示すように圧縮スプリング３５の弾発力によってベース板３０の孔（図示せず）から蓋３側に進出させる。この状態で、蓋３を矢印Ａ方向に移動させることにより、図中二点鎖線で示すように係合片５がストッパピン３４に係合することで、開口２が開放されるとともに蓋３が引き抜かれることが規制される。
【発明の開示】
【発明が解決しようとする課題】
【０００５】
上述した従来のストッパ装置が実施された蓋の係合構造においては、蓋３を移動させる際に係合片５に干渉する部材がないように、ベース板３０と蓋３との間に間隔Ｌをもって隙間が形成されている。このため、この隙間から悪意の第三者がドライバー等を差し入れて、非励磁状態にある電磁ソレノイドのストッパピン３４を圧縮スプリング３５の弾発力に抗してこじ上げて強制的に後退させることにより、収納装置から開口２が開放された状態で収納箱１が引き出されてしまうおそれがあった。
【０００６】
本発明は上記した従来の問題に鑑みなされたものであり、その目的とするところは、非励磁状態にある電磁ソレノイドのロッドをドライバー等によって強制的に後退させることができないストッパ装置を提供するところにある。
【課題を解決するための手段】
【０００７】
この目的を達成するために、本発明は、進退自在なロッドを有するソレノイドと、このソレノイドのロッドの進退に連動して進退するストッパピンとを備えたストッパ装置において、前記ロッドと前記ストッパピンとの間に、前記ロッドに一端部が枢着された連結レバーと、この連結レバーの他端部に中央部が枢着され一端部に前記ストッパピンが枢着された第１の回動規制レバーと、この第１の回動規制レバーの一端部が枢着されこの一端部を揺動自在に支持する第２の回動規制レバーとを介在させ、前記ロッドが前進することにより前記第１の回動規制レバーの他端部に係合し前記第２の回動規制レバーとともに前記第１の回動規制レバーの回動を規制する規制部材と、前記規制部材に前記第１の回動規制レバーの他端部を係合させる方向へ付勢する付勢手段とを備えたものである。
【発明の効果】
【０００８】
本発明によれば、ストッパピンをドライバー等で後退させる方向へ移動させようとしても、ストッパピンが枢着された第１の回動規制レバーは、第２の回動規制レバーと規制部材との協働によって回動が規制されるため、ストッパピンが後退するようなことがない。
【発明を実施するための最良の形態】
【０００９】
以下、本発明の実施の形態を図に基づいて説明する。図１は本発明に係るストッパ装置の正面図、図２は同じく蓋のロック装置として実施した側面図、図３は同じくストッパピンを後退させた状態を示す正面図、図４は同じくストッパピンを故意に後退させようとした場合の状態を示す正面図である。なお、上述した図５に示す従来技術において説明した同一または同等の部材については、同一の符号を付し詳細な説明は適宜省略する。
【００１０】
図１に全体を符号９で示すストッパ装置は、収納箱１の蓋３から距離Ｌだけ離間して図示を省略した収納装置内に固定されるベース板１０を備えており、このベース板１０上には台座１１が固定されており、この台座１１上には、断面がコ字状に形成されたブラケット１２が固定されている。１３はブラケット１２の底部に固定され側面視が不等辺四角形に形成されたブラケットであって、上面部には、支持板１４を介して電磁ソレノイド１５が固定されている。
【００１１】
この電磁ソレノイド１５のロッド１５ａには、ピン１７を介して連結レバー１６の一端部が枢着されており、この連結レバー１６の他端部には、ピン１９を介して第１の回動規制レバー１８の中央部が枢着されている。２０は基端部が軸２１を介してブラケット１２に揺動自在に支持された第２の回動規制レバーであって、揺動端部２０ａには、ピン２２を介して第１の回動規制レバー１８の一端部１８ａが枢着されており、ブラケット１２の底部１２ａに係合する係合部２０ｂが設けられている。
【００１２】
２３はブラケット１３に固定されている支持板２４に取り付けられた規制部材であって、後述するように電磁ソレノイド１５のロッド１５ａが前進することにより、この規制部材２３に第１の回動規制レバー１８の他端部１８ｂが係合する。ここで、規制部材２３に第１の回動規制レバー１８の他端部１８ｂが係合した図１に示す状態で、ピン２１とピン２２を結んだ線と、ピン２２と第１の回動規制レバー１８の他端部１８ｂとを結んだ線とのなす角度αが、１８０°よりも小さくなるように設定されている。
【００１３】
２５は前進することにより上記した蓋３の係合片５が係合するストッパピンであって、上端部がピン２２を介して第１の回動規制レバー１８の一端部１８ａと、第２の回動規制レバー２０の揺動端部２０ａとに枢着されている。このストッパピン２５は、後述するように電磁ソレノイド１５のロッド１５ａが進退することにより、連結レバー１６および第１および第２の回動規制レバー１８，２０を介してベース板１０に設けられた孔１０ａから進退する。
【００１４】
２６はブラケット１３と第１の回動規制レバー１８との間に懸架された引張りコイルばねであって、この引張りコイルばね２６の引張力によって、第１の回動規制レバー１８がピン１９を回動中心として時計方向、すなわち他端部１８ｂが規制部材２３に係合する方向へ付勢されている。このように構成されていることにより、連結レバー１６は電磁ソレノイド１５のロッド１５ａの前進方向に延設され、第１の回動規制レバー１８は、第２の回動規制レバー２０の支持と引張りコイルばね２６の引張力によるモーメントとの協働により、連結レバー１６と略直交するように姿勢が保持されている。
【００１５】
このような構成において、電磁ソレノイド１５のロッド１５ａが前進した図１に示す状態から、電磁ソレノイド１５を励磁しロッド１５ａを後退させることにより、図３に示すように連結レバー１６を介して第１の回動規制レバー１８が矢印Ｃ方向に移動する。このとき、第１の回動規制レバー１８が第２の回動規制レバー２０の支持と引張りコイルばね２６の引張力によるモーメントとの協働により、連結レバー１６と略直交した状態の姿勢が保持されるため、第１の回動規制レバー１８がこの姿勢を保持したままの状態で連結レバー１６と一体的に移動する。したがって、第１の回動規制レバー１８の矢印Ｃ方向の移動により、ストッパピン２５が上方に移動しベース板１０の孔１０ａ内に退避するとともに、第１の回動規制レバー１８の他端部１８ｂが規制部材２３から離間する。
【００１６】
この状態から、電磁ソレノイド１５が非励磁状態になると、電磁ソレノイド１５内に内蔵された図示を省略した付勢手段によってロッド１５ａが前進する。ロッド１５ａが前進することによって、連結レバー１６を介して第１の回動規制レバー１８が、図４に示すように矢印Ｄ方向へ移動するから、引張りコイルばね２６の引張力によって第１の回動規制レバー１８の他端部１８ｂが規制部材２３に係合するとともに、第２の回動規制レバー２０の係合部２０ｂがブラケット１２の底部１２ａに係合する。第１の回動規制レバー１８が矢印Ｄ方向へ移動することにより、ストッパピン２５がこの第１の回動規制レバー１８を介してベース板１０の孔１０ａから進出する。
【００１７】
この状態で、ベース板１０と収納箱１の蓋３との間に形成されている隙間にドライバー等を差し入れ、ストッパピン２５をこじ上げようとすると、ピン２２を介して第１の回動規制レバー１８に規制部材２３を回動中心とした図中時計方向への回転モーメントが作用する。同時に、第２の回動規制レバー２０にピン２１を回動中心として図中反時計方向への回転モーメントが作用する。このとき、第１の回動規制レバー１８の他端部１８ｂが規制部材２３に係合し、ピン２１とピン２２を結んだ線と、ピン２２と第１の回動規制レバー１８の他端部１８ｂとを結んだ線とのなす角度αが、１８０°よりも小さくなるように設定されている。したがって、第１の回動規制レバー１８と第２の回動規制レバー２０とに、いわゆる死点越えの作用により互いの回動を規制するモーメントが作用する。すなわち第１の回動規制レバー１８の一端部１８ａと第２の回動規制レバー２０の揺動端部２０ａに枢着されたピン２２には、第１の回動規制レバー１８および第２の回動規制レバー２０から、図中上方への移動を規制するモーメントが作用する。
【００１８】
このモーメントが作用することにより、第１の回動規制レバー１８のピン１９を回動中心とした図中時計方向への回動が規制されるとともに、第２の回動規制レバー２０のピン２１を回動中心とした図中反時計方向への回動が規制される。このため、ストッパピン２５を故意にこじ上げようとしても、ストッパピン２５はベース板１０の孔１０ａ内に後退するようなことがないとともに、第１の回動規制レバー１８を介して電磁ソレノイド１５のロッド１５ａが後退する（矢印Ｃ方向へ移動する）ようなこともない。
【００１９】
このように、ストッパピン２５が故意にこじ上げられるようなことがないから、第三者によって収納箱１を収納装置から引き出すことを防止することができる。ここで、引張りコイルばね２６の引張力によって、第１の回動規制レバー１８の他端部１８ｂが規制部材２３に確実に係合するため、第２の回動規制レバー２０との協働によって、第１の回動規制レバー１８の回動を確実に規制することができるから、ストッパピン２５の後退をより一層確実に規制することができる。
【図面の簡単な説明】
【００２０】
【図１】本発明に係るストッパ装置の正面図である。
【図２】本発明に係るストッパ装置を蓋のロック装置として実施した側面図である。
【図３】本発明に係るストッパ装置において、ストッパピンを後退させた状態を示す正面図である。
【図４】本発明に係るストッパ装置において、ストッパピンを故意に後退させようとした場合の状態を示す正面図である。
【図５】従来のストッパ装置を収納箱に実施した状態を示す側面図である。
【符号の説明】
【００２１】
１…収納箱、３…蓋、５…係合片、１５…電磁ソレノイド、１５ａ…ロッド、１６…連結レバー、１８…第１の回動規制レバー、１８ｂ…他端部、２０…第２の回動規制レバー、２３…規制部材、２５…ストッパピン、２６…引張りコイルばね。
【図１】
0004978452.tif 000002
【図２】
0004978452.tif 000003
【図３】
0004978452.tif 000004
【図４】
0004978452.tif 000005
【図５】
0004978452.tif 000006